(57)【要約】【課題】連結している複数の中空板枠体をぐるぐると螺線状に巻き込んだときに、その巻き込み形状の全体を極めてコンパクトにすることができ、しかも、全体の掃除も簡単に行なうことのできるシャッター式風呂蓋を提供する。【解決手段】本発明に係るシャッター式風呂蓋１は、細長形状の複数の中空板枠体２の下端部同士を、可撓性を有する帯片３により連結し、隣り合う中空板枠体２の間に、曲面溝８を備えている。また、隣り合う中空板枠体２の側壁６と、帯片３により、曲面溝８が形成されている。さらに、隣り合う中空板枠体２は、およそ９０°以上の角度に折り曲げ可能である。【選択図】図３
2005230292.tif 000002
【特許請求の範囲】
【請求項１】
細長形状の複数の中空板枠体の下端部同士を、可撓性を有する帯片により連結し、隣り合う中空板枠体の間に、曲面溝を備えていることを特徴とするシャッター式風呂蓋。
【請求項２】
隣り合う中空板枠体の側壁と、帯片により、曲面溝が形成されている請求項２に記載のシャッター式風呂蓋。
【請求項３】
隣り合う中空板枠体は、およそ９０°以上の角度に折り曲げ可能である請求項１または２に記載のシャッター式風呂蓋。
【請求項４】
曲面溝は、中空板枠体の高さに対し、およそ２倍の上方開口幅を備えている請求項３に記載のシャッター式風呂蓋。
【請求項５】
細長形状の複数の中空板枠体の下端部同士を、帯片により連結し、折り曲げ状態において隣り合う中空板枠体同士が、側壁における高さ方向の上端部近傍において当接するように構成したことを特徴とするシャッター式風呂蓋。
【請求項６】
隣り合う中空板枠体は、およそ９０°以上の角度に折り曲げ可能である請求項５に記載のシャッター式風呂蓋。
【請求項７】
中空板枠体の側壁を、凹状に形成した請求項５または６に記載のシャッター式風呂蓋。
【請求項８】
細長形状の複数の中空板枠体の下端部同士を、可撓性を有する帯片により連結し、１周目の巻き込み形状が四角形または三角形となるように巻き込むことが可能であることを特徴とするシャッター式風呂蓋。
【請求項９】
中空板枠体の側壁を、凹状に形成した請求項８に記載のシャッター式風呂蓋。
【発明の詳細な説明】
【技術分野】
【０００１】
本発明は、浴槽に使用するもので、コンパクトに巻き込むことが可能なシャッター式風呂蓋に関するものである。
【背景技術】
【０００２】
従来より、浴槽に使用する風呂蓋Ｐとして、種々の構造のものが提案されている。例えば、図６に示すように、細長形状の複数の板枠体１００の下端部同士を、所定の接続片１０５を介して連結したものがある。
【０００３】
この様な風呂蓋Ｐの板枠体１００は、所定の幅を備えている底面部１０１と、底面部１０１の両端に位置する左右の垂直面部１０２と、両垂直面部１０２に連なる左右の斜行面部１０３と、上面部１０４とから構成されている。
【０００４】
そして、風呂蓋Ｐを使用するときには、風呂蓋Ｐの全体を伸ばした状態にして、浴槽の開口部に風呂蓋Ｐを配置する。
【０００５】
一方、入浴時等の風呂蓋Ｐを使用しないときには、風呂蓋Ｐの全体を、端部からぐるぐると螺線状に巻き込み、浴室の洗い場等に立てかけておく。
【特許文献１】特開平９−１０８１３１号公報
【発明の開示】
【発明が解決しようとする課題】
【０００６】
しかしながら、この様な従来の風呂蓋Ｐは、図６に示すように、接続片１０５を介して連結している板枠体１００同士の間隔Ａが非常に狭く、且つ、板枠体１００の垂直面部１０２の高さＢが非常に低いため、風呂蓋Ｐを螺線状に巻き込んだときに、図７に示すように、風呂蓋Ｐの巻き込み形状の全体が大きくなってしまう弊害が生じていた。
【０００７】
この様な事態は、図７に示すように、垂直面部１０２と斜行面部１０３との連設部分が、互いに低い位置（底面部１０１と近い位置）において突き当たることから、隣接する板枠体１００同士の折り曲げ角度が小さくなり、例えば、１周目の巻き込み形状が、７角形という大きな形状になってしまうからである。そして、７角形となる１周目の巻き込み形状の外側に、さらに２周目、３周目を巻き込んでいくと、当然のことながら、風呂蓋Ｐの巻き込み形状の全体が非常に大きくなってしまうのである。この様に、従来の風呂蓋Ｐは、風呂蓋Ｐの巻き込み形状の全体が非常に大きくなってしまうので、限られた浴槽スペースにおいて、非常に邪魔な存在となっていた。
【０００８】
この他、従来の風呂蓋Ｐは、接続片１０５を介して連結している板枠体１００同士の間隔Ａが非常に狭いため、この部分に汚れが生じたときに、掃除がし難いという弊害も生じていた。
【０００９】
そこで、本発明は叙上のような従来存した諸事情に鑑み創案されたもので、端部からぐるぐると螺線状に巻き込んだときに、その巻き込み形状の全体を極めてコンパクトにすることができ、しかも、全体の掃除も簡単に行なうことのできるシャッター式風呂蓋を提供することを目的とする。
【課題を解決するための手段】
【００１０】
上述した目的を達成するため、本発明に係るシャッター式風呂蓋は、細長形状の複数の中空板枠体の下端部同士を、可撓性を有する帯片により連結し、隣り合う中空板枠体の間に、曲面溝を備えていることで、上述した課題を解決した。
【００１１】
また、隣り合う中空板枠体の側壁と、帯片により、曲面溝が形成されていることで、同じく上述した課題を解決した。
【００１２】
さらに、隣り合う中空板枠体は、およそ９０°以上の角度に折り曲げ可能であることで、同じく上述した課題を解決した。
【００１３】
また、曲面溝は、中空板枠体の高さに対し、およそ２倍の上方開口幅を備えていることで、同じく上述した課題を解決した。
【００１４】
一方、本発明に係るシャッター式風呂蓋は、細長形状の複数の中空板枠体の下端部同士を、帯片により連結し、折り曲げ状態において隣り合う中空板枠体同士が、側壁における高さ方向の上端部近傍において当接するように構成したことで、同じく上述した課題を解決した。
【００１５】
また、隣り合う中空板枠体は、およそ９０°以上の角度に折り曲げ可能であることで、同じく上述した課題を解決した。
【００１６】
加えて、中空板枠体の側壁を、凹状に形成したことで、同じく上述した課題を解決した。
【００１７】
この他、本発明に係るシャッター式風呂蓋は、細長形状の複数の中空板枠体の下端部同士を、可撓性を有する帯片により連結し、１周目の巻き込み形状が四角形または三角形となるように巻き込むことが可能であることで、同じく上述した課題を解決した。
【００１８】
また、中空板枠体の側壁を、凹状に形成したことで、同じく上述した課題を解決した。
【発明の効果】
【００１９】
本発明に係るシャッター式風呂蓋１は、細長形状の複数の中空板枠体２の下端部同士を、可撓性を有する帯片３により連結し、隣り合う中空板枠体２の間に、曲面溝８を備えているため、シャッター式風呂蓋１を端部からぐるぐると螺線状に巻き込んだときに、その巻込形状の全体を極めてコンパクトにすることがきる。
【００２０】
すなわち、隣り合う中空板枠体２は、図２に示すように、曲面溝８を介して、およそ９０°以上の角度に折り曲げ可能である。その結果、図３に示すように、シャッター式風呂蓋１の１周目の巻き込み形状は、４つの中空板枠体２が曲面溝８を介して正方形となり、極めて小さな巻き込み形状となる。そして、この小さな巻き込み形状の外側に、２周目、３周目として中空板枠体２が順次コンパクトに巻き込まれるのである。
【００２１】
そして、図５に示すように、本発明に係るシャッター式風呂蓋１の巻き込み形状は、従来の風呂蓋Ｐの巻き込み形状に比べて、非常にコンパクトなものになっている。
【００２２】
また、隣り合う中空板枠体２の側壁６と、帯片３により、曲面溝８が形成されているため、シャッター式風呂蓋１の全体のプレス成形等が極めて容易なものとなる。
【００２３】
さらに、曲面溝８は、中空板枠体２の高さＣに対し、およそ２倍の上方開口幅Ｄを備えているため、隣り合う中空板枠体２は、曲面溝８を介して、９０°の折り曲げが可能となる。
【００２４】
また、細長形状の複数の中空板枠体２の下端部同士を、帯片３により連結し、折り曲げ状態において隣り合う中空板枠体２同士が、側壁６における高さＣ方向の上端部近傍において当接するように構成しているため、従来の風呂蓋Ｐに比較して、中空板枠体２の折り曲げ角度を大きくすると共に、帯片３を可能な限り短く形成できる。
【００２５】
隣り合う中空板枠体２同士において、仮に、側壁６における中間部が当接する場合、中空板枠体２の折り曲げ角度を大きくするには、帯片３の幅を大きくとらなければならない。この様に帯片３の幅を大きくとると、シャッター式風呂蓋１における本来の機能としての保温性が阻害されてしまうのである。
【００２６】
本発明は、隣り合う中空板枠体２の折り曲げ角度を大きくして全体の巻き込み形状をコンパクトにすると共に、帯片３を短く形成して、シャッター式風呂蓋１の保温性も維持しているのである。
【００２７】
さらに、折り曲げ状態において隣り合う中空板枠体２同士が、側壁６における高さＣ方向の上端部近傍において当接するように構成しているため、折り曲げ状態における帯片３に加わる力を最小限のものとすることができる。これは、隣り合う中空板枠体２同士において、仮に、側壁６における中間部が当接すると、所謂てこの原理が生じて、帯片３が極めて強い力で引っ張られることになる。本発明は、この様な事態の発生を阻止して、全体の巻き込み状態における帯片３の損傷を回避しているのである。
【００２８】
そして、隣り合う中空板枠体２は、およそ９０°以上の角度に折り曲げ可能であるため、シャッター式風呂蓋１の１周目の巻き込み形状は、図３に示すように、４つの中空板枠体２が曲面溝８を介して正方形となり、極めて小さな巻き込み形状となる。そして、この小さな巻き込み形状の外側に、２周目、３周目として中空板枠体２が順次コンパクトに巻き込まれるのである。
【００２９】
また、中空板枠体２の側壁６を、凹状に形成しているので、側壁６が直線状であるのに比較して、シャッター式風呂蓋１の巻き込み状態における通気性が良くなり、即座に乾燥するものである。
【００３０】
この他、本発明は、細長形状の複数の中空板枠体２の下端部同士を、可撓性を有する帯片３により連結し、１周目の巻き込み形状が四角形または三角形となるように巻き込むことが可能である。そのため、シャッター式風呂蓋１の１周目の巻き込み形状が、図３に示すように、４つの中空板枠体２が曲面溝８を介して正方形となり、極めて小さな巻き込み形状となる。そして、この小さな巻き込み形状の外側に、中空板枠体２が順次コンパクトに巻き込まれるのである。
【００３１】
また、１周目の巻き込み形状が三角形となるときは、シャッター式風呂蓋１全体の巻き込み形状が一層コンパクトになる。
【００３２】
さらに、１周目の巻き込み形状が四角形、三角形という極めて小さな巻き込み形状となると、シャッター式風呂蓋１の「巻き芯」がしっかりするため、巻き込み形状におけるシャッター式風呂蓋１の全体の強度を維持できる。加えて、シャッター式風呂蓋１の「巻き芯」がしっかりすると、シャッター式風呂蓋１の巻き込みが一層容易となる。
【００３３】
また、中空板枠体２の側壁６を、凹状に形成しているため、図３に示すように、シャッター式風呂蓋１を巻き込んだときに、折曲している帯片３の部分が、この隣り合う凹状の側壁６と側壁６との間に入り込んで、シャッター式風呂蓋１を一層コンパクトに巻き込むことができる。
【発明を実施するための最良の形態】
【００３４】
以下に、本発明を実施するための最良の形態を、図面を参照して説明する。本発明は、浴槽に使用するもので、全体をコンパクトに巻き込むことが可能なシャッター式風呂蓋１である。
【００３５】
この風呂蓋１は、例えば、合成樹脂材素材をプレス成形して形成されている。具体的には、図１に示すように、細長形状の複数の中空板枠体２の下端部同士を、可撓性を有する帯片３により連結して形成されている。帯片３は、例えば、ＴＰＯ（ＰＰ系エラストマー）等を用いて中空板枠体２同士を互いに溶着するものである。
【００３６】
シャッター式風呂蓋１を構成する中空板枠体２は、図２に示すように、所定の幅を有する底面部４と、底面部４よりも若干幅の狭い上面部５とを、左右の側壁６により連結して形成されている。また、底面部４と、上面部５は、中央の補強部７を介して接続されている。
【００３７】
そして、図２・図４に示すように、隣り合う中空板枠体２の側壁６と、帯片３により、全体が凹状に湾曲している曲面溝８が形成されている。隣り合う中空板枠体２は、この曲面溝８を介して、およそ９０°以上の角度に折り曲げ可能となっている。また、この曲面溝８は、図４に示すように、中空板枠体２の高さＣに対し、およそ２倍の上方開口幅Ｄを備えている。
【００３８】
さらに、細長形状の複数の中空板枠体２は、折り曲げ状態において隣り合う中空板枠体２同士が、側壁６における高さＣ方向の上端部近傍において当接するように構成されている。そして、隣り合う中空板枠体２は、およそ９０°以上の角度に折り曲げ可能となっている。
【００３９】
その結果、シャッター式風呂蓋１の１周目の巻き込み形状は、例えば、図３に示すように、４つの中空板枠体２が曲面溝８を介して正方形となり、極めて小さな巻き込み形状となる。そして、この小さな巻き込み形状の外側に、２周目、３周目として中空板枠体２が順次コンパクトに巻き込まれるのである。
【００４０】
尚、曲面溝８の上方開口部の幅Ｄに対し、中空板枠体２の高さＣを極力低くすることで、隣り合う中空板枠体２同士を、例えば、６０°の角度に折り曲げることが可能となる。このとき、シャッター式風呂蓋１の１周目の巻き込み形状は、３つの中空板枠体２が曲面溝８を介して三角形状となり、その巻き込み形状が極めてコンパクトなものとなる。
【産業上の利用可能性】
【００４１】
本発明に係るシャッター式風呂蓋１は、例えば、物置用の収納箱等に用いる蓋として、応用することが可能である。
【図面の簡単な説明】
【００４２】
【図１】複数の中空板枠体の下端部同士を、帯片により連結しているシャッター式風呂蓋の全体の構成を示した斜視図である。
【図２】複数の中空板枠体の下端部同士を、帯片により連結しているシャッター式風呂蓋の全体の構成を示した側面図である。
【図３】シャッター式風呂蓋を端部からぐるぐると螺線状に巻き込んだ全体の形状を示した側面図である。
【図４】隣り合う中空板枠体の側壁と、帯片により、曲面溝が形成されている構成を示した側面図である。
【図５】本発明に係るシャッター式風呂蓋の巻き込み形状の大きさと、従来の風呂蓋の巻き込み形状の大きさを比較した側面図である。
【図６】従来の風呂蓋の全体の構成を示した側面図である。
【図７】従来の風呂蓋の巻き込み形状を示した側面図である。
【符号の説明】
【００４３】
１…シャッター式風呂蓋    ２…中空板枠体
３…帯片                  ４…底面部
５…上面部                ６…側壁
７…補強部                ８…曲面溝
Ｃ…中空板枠体の高さ      Ｄ…上方開口幅
Ｐ…風呂蓋
Ａ…板枠体同士の間隔      Ｂ…垂直面部の高さ
１００…板枠体            １０１…底面部
１０２…垂直面部          １０３…斜行面部
１０４…上面部            １０５…接続片
【図１】
2005230292.tif 000003
【図２】
2005230292.tif 000004
【図３】
2005230292.tif 000005
【図４】
2005230292.tif 000006
【図５】
2005230292.tif 000007
【図６】
2005230292.tif 000008
【図７】
2005230292.tif 000009